(57)【特許請求の範囲】
【請求項１】
張出床版の下面に排水樋が取り付けられる橋梁の横引排水装置であって、
前記排水樋は、上部が開口された樋本体と、この樋本体の上部開口を塞ぐ蓋体とを備え、
前記樋本体は、底板部と、この底板部の両側縁にそれぞれ設けられ前記張出床版に係止される傾斜壁部とを有し、この傾斜壁部はフランジ部を備え、このフランジ部は間に前記蓋体を挟んだ状態で前記張出床版にボルトで係止され、
前記傾斜壁部と前記底板部とのなす角が鈍角であることを特徴とする橋梁の横引排水装置。
【請求項２】
請求項１に記載の橋梁の横引排水装置において、
前記排水樋は、直列に接続された複数の樋部材を備え、これらの樋部材は、それぞれ前記底板部及び互いに平行配置された前記傾斜壁部を備え、下流側に配置される樋部材は上流側に配置される樋部材に比べて前記傾斜壁部の間の幅寸法が大きく形成され、かつ、前記各樋部材は、前記張出床版の端縁からの寸法が同じであることを特徴とする橋梁の横引排水装置。
【請求項３】
請求項２に記載の橋梁の横引排水装置において、
前記幅寸法の異なる樋部材同士は接続用部材を介して接続され、この接続用部材は、隣り合う前記樋部材の傾斜壁部と接続するとともに互いに対向配置された接続用傾斜壁部を備え、これらの接続用傾斜壁部は互いに非平行に配置されていることを特徴とする橋梁の横引排水装置。
【発明の詳細な説明】
【０００１】
【発明の属する技術分野】
本発明は、張出床版の下面に排水樋が取付けられる橋梁の横引排水装置に関する。
【０００２】
【背景技術】
高速道路用建築構造物は、橋脚の上に橋梁が設けられて構成されており、この橋梁の橋脚から外側に張り出した部分は張出床版とされる。
高速道路の路面に溜まった雨水をそのまま橋梁下に垂れ流すことは、油や路面凍結剤が雨水とともに河川に流れ込み、環境破壊が生じるため、好ましくない。そのため、高速道路の橋梁の張出床版の下面には路面からの排水を流す排水樋が取り付けられている。
従来の排水樋は、複数の筒状樋部材を直列接続して構成されており、これらの筒状樋部材は所定位置で金具を介して橋梁下面に支持固定されている。
また、この張出床版の下面には、種々のケーブル（プレストレス用ケーブルや電気配線ケーブル）が設けられている。ケーブルはむき出し状態で橋梁下面に金具を介して取り付けられている。
【０００３】
【発明が解決しようとする課題】
しかしながら、従来の構成では、排水樋は筒状樋部材を金具を介して橋梁下面に取り付ける構造であるため、好ましい外観が得られない。特に、樋部材は塩ビ等の樹脂製であるのに対して、金具は金属製であり、その色、質感も両者では、異なり、張出床版の外観が損なわれることになる。
一方、ケーブルは張出床版の下面からむき出しになった状態で取り付けられているため、外観上好ましくない。特に、ケーブルは複数種類のものが乱雑な状態で束ねられていることが多いので、地上から張出床版を仰ぎ見ると、張出床版の外観が損なわれることになる。
【０００４】
本発明の目的は、橋梁の張出床版の下面の外観を向上させることが可能な橋梁の横引排水装置を提供することにある。
【０００５】
【課題を解決するための手段】
そのため、本発明は、断面が略台形の排水樋を張出床版の下面に取り付けて前記目的を達成しようとするものである。
具体的には、本発明の橋梁の横引排水装置は、張出床版の下面に排水樋が取り付けられる橋梁の横引排水装置であって、前記排水樋は、上部が開口された樋本体と、この樋本体の上部開口を塞ぐ蓋体とを備え、前記樋本体は、底板部と、この底板部の両側縁にそれぞれ設けられ前記張出床版に係止される傾斜壁部とを有し、この傾斜壁部はフランジ部を備え、このフランジ部は間に前記蓋体を挟んだ状態で前記張出床版にボルトで係止され、
前記傾斜壁部と前記底板部とのなす角が鈍角であることを特徴とする。
【０００６】
このような、本発明によれば、排水樋は傾斜壁部と底板部とのなす角を鈍角とした略断面台形形状であるため、矩形断面の排水樋に比べて角部が目立たず、橋梁下面の他の部分と外観上の統一性が得られる。
【０００７】
以上において、本発明では、排水樋は、上部が開口された樋本体と、この樋本体の上部開口を塞ぐ蓋体とを備えているから、樋本体を蓋体で塞ぐことで排水が漏れずに流れることになる。そのため、樋本体の下方が排水によって汚れることがない。
【０００８】
さらに、前記排水樋は、直列に接続された複数の樋部材を備え、これらの樋部材は、それぞれ前記底板部及び互いに平行配置された前記傾斜壁部を備え、下流側に配置される樋部材は上流側に配置される樋部材に比べて前記傾斜壁部の間の幅寸法が大きく形成され、かつ、前記各樋部材は、前記張出床版の端縁からの寸法が同じである構成が好ましい。
この構成の発明では、排水が大量に流れることがあっても、下流に行くに従って流れの断面積が増大するために排水樋内の水圧が急激に増大することがなく、樋本体に大きな応力を生じることがない。従って、長期にわたって樋本体の形状寸法を維持できる。
しかも、橋脚の端縁から見たときに、排水樋の側縁と橋脚の端縁との間の距離が一定となるために橋梁の下面の外観をさらに向上させることができる。
【０００９】
また、前記幅寸法の異なる樋部材同士は接続用部材を介して接続され、この接続用部材は、隣り合う前記樋部材の傾斜壁部と接続するとともに互いに対向配置された接続用傾斜壁部を備え、これらの接続用傾斜壁部は互いに非平行に配置されている構成が好ましい。
この構成の発明では、幅寸法の異なる排水樋同士が、前記排水樋の幅寸法を調節できる接続用部材を介して接続されているから、排水樋の寸法を統一し、部品をモジュール化することができるので、部品点数を少なくすることができる。
【００１２】
【発明の実施の形態】
以下、本発明の実施形態を図面に基づいて説明する。
図１には第１実施形態が適用された建築構造物１が示されている。
建築構造物１は、図示しない基礎上に立設された橋脚２と、この橋脚２により支持されている橋梁３とを備えた自動車道路用構造物である。この橋梁３の上面には路面４が形成されている。橋梁３の橋脚上端部から張り出した部分は張出床版５とされる。
一方の張出床版５の下にはケーブル６が取り付けられている。このケーブル６は、その下方から断面台形のカバー４８で覆われている。他方の張出床版５には排水樋８が取り付けられている。
【００１３】
排水樋８の構造が図２及び図３に示されている。図２は排水樋８の側面図であり、図３は排水樋８の縦断面図である。
図２において、排水樋８の所定位置には集水配管３１が設けられており、この集水配管３１は、その下方に案内された樋接続配管２４と、エルボ配管２５と、竪樋配管２６と、樋端部配管２７とを備えた竪樋と接続されており、この竪樋を流下した排水は、排水溝２８に流される。竪樋配管２６は、橋脚２の側面に取付器具によって固定されている。
排水樋８は、水平方向に沿って直列に接続された複数のＦＲＰ製の樋部材８０と、これらの樋部材８０の所定位置を接続するＦＲＰ製の接続用部材３０とを備えて構成されている。
【００１４】
図３において、樋部材８０は、それぞれ、樋本体８Ａと、この樋本体８Ａの上部開口を塞ぎ上部から排水が漏れないようにする平板状の蓋体８Ｂとを有する。樋本体８Ａは、平板状の底板部８Ｃと、この底板部８Ｃの両側縁にそれぞれ設けられた傾斜壁部８Ｄとが一体に形成された構造である。両傾斜壁部８Ｄは互いに平行に配置されている。
この傾斜壁部８Ｄと底板部８Ｃとのなす角αは鈍角であり、好ましくは、１９０°〜２００°である。
傾斜壁部８Ｄは、その上端部が外側に折り曲げ形成されたフランジ部分８Ｅとされ、このフランジ部分８Ｅは間に蓋体８Ｂを挟んだ状態で張出床版５にボルト１１で係止されている。隣り合う樋本体８Ａ同士は入れ子式に接続されるとともに、接続部分は接着剤で接着固定されている。
【００１５】
張出床版５には、路面４と同一平面になるように、複数の格子状開口１９が形成された鋼製プレート２０が配置されており、鋼製プレート２０の下部には、路面４の水を排水樋８に案内する排水ます２２が設けられている。
排水ます２２の下部は、その一部が蓋体８Ｂを貫通して樋本体８Ａの内部に臨んでいる。
排水ます２２の周囲には排水樋８に案内された排水が外部に漏れ出さないようにするための防水シール部２２Ｐが設けられている。
【００１６】
樋部材８０の構造が図４及び図５に示されている。図４は樋部材８０の底面図であり、図５は樋部材８０の側面図である。
図４及び図５において、樋部材８０は、長尺状に形成されており、そのフランジ部分８Ｅにはボルト１１を挿通するための挿通孔１０が樋部材８０の長手方向に沿って複数形成されている。
樋部材８０の一端には隣接する樋部材８０との接続部８Ｒが形成されている。この接続部８Ｒは、全体に樋部材８０より下方に片寄って形成されており、この片寄りによって、張出床版５の下面との間に空隙Ｓ１が形成され、底板部８Ｃとの間に空隙Ｓ２が形成される。
空隙Ｓ１は、フランジ部分８Ｅと蓋体８Ｂとの厚さを加えた厚さと同じ寸法の空隙であり、空隙Ｓ２は樋部材８０の底板部８Ｃの厚みと同じ寸法である。樋部材８０同士を接続して樋本体８Ａを形成する際には、樋部材８０の一端部に形成された接続部８Ｒに、この樋部材８０に隣接する樋部材８０の他端部が挿入される。
【００１７】
接続用部材３０の構成が図６及び図７に示されている。図６は接続用部材３０の底面図であり、図７は接続用部材３０の断面図である。
図６において、下流側（図６で左側）に配置される樋部材８０の傾斜壁部８Ｄの間の幅寸法Ｗ２は上流側（図６で右側）に配置される樋部材８０の傾斜壁部８Ｄの間の幅寸法Ｗ１に比べて大きく形成されている。
直列接続された複数の樋部材８０及び接続用部材３０は、張出床版５の端縁からの寸法が同じＬである。
【００１８】
接続用部材３０は、幅寸法の異なる樋部材８０同士を接続するものであって、レジューサと称される。
接続用部材３０は、接続用底板部３０Ａと、この接続用底板部３０Ａの両端縁にそれぞれ設けられた接続用傾斜壁部３０Ｂとが一体に形成された構造であり、接続用底板部３０Ａは隣合う樋部材８０の底板部８Ｃと略同一平面内で接続され、接続用傾斜壁部３０Ｂは隣り合う樋部材８０の傾斜壁部８Ｄと接続される。
互いに対向される接続用傾斜壁部３０Ｂは下流側に向かって広くなるように配置されている。接続用傾斜壁部３０Ｂは、その上端部に外側に向かって折り曲げ形成されたフランジ部分３０Ｃを有するものであり、このフランジ部分３０Ｃには接続用部材３０の長手方向に沿ってボルト挿通孔１０が形成されている。
【００１９】
接続用部材３０と樋部材８０とは入れ子状に接続される。そのため、接続用部材３０の一端部には隣接する樋部材８０との接続部分３０Ｒが形成されており、この接続部分３０Ｒは、隣接する樋部材８０の蓋体８Ｂとの干渉を防止するために、寸法Ｒ１だけ上方にオフセットされ、樋部材８０の底板部８Ｃとの干渉を防止するために、寸法Ｒ２だけ上方にオフセットされている。
【００２０】
ケーブル６を覆うカバー４８の構成が図８及び図９に示されている。図８はカバー４８が取り付けられた状態を示す張出床版５の縦断面図であり、図９はカバー４８の斜視図である。
これらの図において、カバー４８は樋本体８Ａと同様構造であり、平板状の底板部４８Ｃと、この底板部４８Ｃの両側縁にそれぞれ設けられた傾斜壁部４８Ｄとが一体に形成された構造である。両傾斜壁部４８Ｄは互いに平行に配置されており、この傾斜壁部４８Ｄと底板部４８Ｃとのなす角αは鈍角であり、好ましくは、１９０°〜２００°である。
ケーブル６はケーブル取付部５１によって張出床版５に取り付けられている。張出床版５の下面にはフック５２が固定され、このフック５２とカバー４８の内部に形成された固定部材５３との間には、カバー４８の落下を防止するカバー落下ワイヤ５４が取付られている。
【００２１】
このような第１実施形態によれば、次のような効果が得られる。
（１）張出床版５の下面の排水樋８を、底板部８Ｃと、この底板部８Ｃの両側縁にそれぞれ設けられ張出床版５に係止される傾斜壁部８Ｄとを有し、この傾斜壁部８Ｄと底板部８Ｃとのなす角αを鈍角としたから、排水樋８が断面略台形であることによって、その角部が目立たず、張出床版５の下面の外観上の調和がとれる。
（２）排水樋８は、上部が開口された樋本体８Ａと、この樋本体８Ａの上部開口を塞ぐ蓋体８Ｂとを備えて構成されているので、樋本体８Ａを蓋体８Ｂで塞ぐことで排水が漏れずに流れることになる。そのため、樋本体の下方が排水によって汚れることがない。
【００２２】
（３）排水樋８は、直列に接続された複数の樋部材８０を備えて構成されるから、各樋部材８０を所定の大きさに設定することで、樋部材８０の製造、運搬が容易となり、現場でも、これらの樋部材８０を接続することで、所定長さの排水樋８を設置することができる。しかも、樋部材８０は、底板部８Ｃ及び互いに平行配置された傾斜壁部８Ｄを備え、下流側に配置される樋部材８０は上流側に配置される樋部材８０に比べて傾斜壁部８Ｄの間の幅寸法を大きく形成したから、排水が大量に流れることがあっても、下流に行くに従って流れの断面積が増大するために排水樋内の水圧が急激の増大することがなく、樋本体に大きな応力を生じることがない。従って、長期にわたって樋本体８Ａの形状寸法を維持できる。
【００２３】
（４）幅寸法の異なる樋部材８０同士は接続用部材３０を介して接続され、この接続用部材３０は、隣り合う樋部材８０の傾斜壁部８Ｄと接続する接続用傾斜壁部３０Ｂを備え、これらの接続用傾斜壁部３０Ｂは下流側に従って間隔が大きくなるテーパ状とされるため、排水樋８の寸法を統一し、部品をモジュール化することができるので、部品点数を少なくすることができる。そのため、工場又は現場における組立作業の効率を向上させることができる。
（５）各樋部材８０及び接続用部材３０は、張出床版５の端縁からの寸法Ｌが同じであるため、橋脚の端縁から見たときに、排水樋の側縁と橋脚の端縁との間の距離が一定となるために橋梁の下面の外観をさらに向上させることができる。
【００２４】
（６）排水樋８とカバー４８とを張出床版５に取り付けるにあたり、ボルト１１のみを用いたので、排水樋８とカバー４８との張出床版５への取付構造を簡易なものにできる。
（７）張出床版５のケーブル６を下方からカバー４８で覆ったから、ケーブル６が外部に露出することがない。しかも、カバー４８を、底板部４８Ｃと、この底板部４８Ｃの両側縁にそれぞれ設けられ張出床版５に係止される傾斜壁部４８Ｄとを有する構造とし、この傾斜壁部４８Ｄと底板部４８Ｃとのなす角αを鈍角としたから、カバー４８が断面略台形であることによって、その角部が目立たず、張出床版５の下面の外観上の調和がとれる。
【００２５】
次に、本発明の第２実施形態を図１０から図１２に基づいて説明する。
第２実施形態は排水樋８とカバー４８との張出床版５への取付構造が第１実施形態と異なるもので、排水樋８とカバー４８の形状等、基本構造は第１実施形態と同じである。ここで、第２実施形態の説明において、第１実施形態と同一構成要素は同一符号を付して説明を省略する。
図１０は、排水樋８を張出床版５へ取り付けた状態を示す底面図である。
図１０において、樋本体８Ａには、樋本体８Ａの取付位置の変位を許容する位置調整機構６０が設けられている。位置調整機構６０は、樋本体８Ａを張出床版５に固定する固定部６１と、樋本体８Ａを張出床版５に対して変位可能とする可動部６２とを含んで構成されている。
【００２６】
固定部６１は、樋本体８Ａの端部部分に各々２個設けられ、可動部６２は、樋本体８Ａの中間部分の各側に各４個づつ設けられている。
固定部６１の具体的な構成が図１１に示されている。
図１１において、固定部６１は樋本体８Ａに固定される枠部材７１と、この枠部材７１に摺動可能に設けられる摺動板７２とを備えて構成されている。
枠部材７１は、平面長方形状に形成されるとともに、中央部分に平面長方形状の開口７１Ａが形成されている。この枠部材７１の開口７１Ａを挟んで対向する両端部には、図示しないナットが埋め込まれている。そして、樋本体８Ａの下側から挿入したボルト８１を、枠部材７１のナットに螺合することで、枠部材７１が樋本体８Ａに固定される。
【００２７】
開口７１Ａの周縁には、その長辺部分に摺動板７２の端部を支持するとともに、開口７１Ａの中央に向かって傾斜する支持部７１Ｂが形成されている。この支持部７１Ｂの摺動板７２が接する面には、当該摺動板７２を摺動し易くするための溝７１Ｃが形成されている。なお、樋本体８Ａには、開口７１Ａに応じた位置に当該開口７１Ａと略同じ大きさの図示しない開口が形成されている。
摺動板７２は、中央部分にボルト１０１が挿通される略楕円形状の挿通孔７２Ａを有し、平面略正方形状および断面矩形状に形成されている。この摺動板７２の幅寸法は、開口７１Ａ，７１Ｃに応じたものとなっている。
摺動板７２は、樋本体８Ａの開口に嵌合されるとともに、挿通孔７２Ａに挿通されたボルト１０１及び図示しないグリップアンカーで張出床版５に固定されている。この際、摺動板７２の角部分が支持部７１Ｂに当接されるので、ボルト１０１を締め付けることで、枠部材７１を張出床版５に簡単に圧接することができ、排水樋８の固定強度を高めることが容易に調整できるようになっている。
【００２８】
可動部６２の具体的な構成が図１２に示されている。
図１２において、可動部６２は、樋本体８Ａに固定される枠部材９１と、この枠部材９１に摺動可能に嵌合される嵌合板９２とを備えて構成されている。なお、枠部材９１は、前述の枠部材７１と同様の開口９１Ａ、支持部９１Ｂ、溝９１Ｃを備え、形状及び固定構造が同じであるので、ここでは省略する。
嵌合板９２は、中央部分にボルト１０１が挿通される略楕円形状の挿通孔９２Ａを有し、平面が円形状であって断面が略台形状に形成されている。
嵌合板９２は、両端が支持部９１Ｂに支持され、開口９１Ａに嵌合されている。そして、嵌合板９２は、張出床版５に面する側面が張出床版５に接触し、ボルト１０１及び図示しないグリップアンカーで張出床版５に固定されている。従って、枠部材９１及び枠部材９１が固定されている樋本体８Ａは、嵌合板９２に対して摺動可能となっている。
以上の説明は樋本体８Ａについて行ったが、カバー４８の場合も樋本体８Ａと同じである。
【００２９】
従って、第２実施形態によれば、第１実施形態の（１）から（６）の作用効果に加えて、次の作用効果を奏することができる。
（８）樋本体８Ａを張出床版５に取り付けるにあたり、位置調整機構６０を用いたので、ＦＲＰ製の樋本体８Ａとコンクリート製の張出床版５との間で熱膨張率が相違しても、熱変化による両者の相対的な伸縮を吸収することができるという効果がある。
（９）特に、位置調整機構６０を、固定部６１と可動部６２とを含んで構成したので、前記伸縮を、可動部６２で自動的に吸収することができる。
【００３０】
なお、本発明は前記実施形態に限定されるものではなく、本発明の目的を達成できる他の構成等を含み、以下に示すような変形等も本発明に含まれる。
例えば、前記各実施形態では、カバー４８及び樋本体８Ａは、ボルトを介して張出床版５に取り付けられた構造としたが、本発明では、これに限らず、例えば、接着剤や両面テープ等で取り付けてもよく、実施に当たって適宜選択すればよい。
【００３１】
さらに、前記各実施形態では、複数の樋部材８０で排水樋８を構成したが、これに限らず、例えば、１本の配管体で排水樋８を構成してもよい。
また、前記各実施形態では、排水樋８やカバー４８をＦＰＲで形成する場合について説明したが、これに限らず、例えば、アルミ等、その他の材質で形成してもよい。
【００３２】
さらに、前記各実施形態では、樋本体８Ａ同士を入れ子式に接続し接着剤で接着することについて説明したが、他の方法、例えば、金属製の排水樋を使用した場合には、溶接等により接続することができる。
また、前記各実施形態が適用される建築構造物は、自動車道路用の他に、鉄道用、その他であってもよい。
【００３３】
【発明の効果】
以上に述べたように、本発明によれば、張出床版の下面に取り付けられるケーブル用のカバーや排水樋を、底板部と、この底板部の両側縁にそれぞれ設けられ前記張出床版に係止される傾斜壁部とを有し、この傾斜壁部と前記底板部とのなす角が鈍角としたから、カバーや排水樋の断面形状が略台形となって、角部が目立たなくなるので、橋梁の張出床版の下面の外観を向上させることができる。
【図面の簡単な説明】
【図１】本発明の第１実施形態が適用された建築構造物を示す斜視図である。
【図２】排水樋の側面図である。
【図３】  排水樋の縦断面図である。
【図４】樋部材の底面図である。
【図５】樋部材の側面図である。
【図６】接続用部材の底面図である。
【図７】  接続用部材の側面図である。
【図８】カバーが取り付けられた状態を示す張出床版の縦断面図である。
【図９】カバーの斜視図である。
【図１０】本発明の第２実施形態にかかる排水樋を張出床版へ取り付けた状態を示す底面図である。
【図１１】第２実施形態における固定部を示す底面図である。
【図１２】第２実施形態における可動部を示す底面図である。
【符号の説明】
２      橋脚
３      橋梁
５      張出床版
６      ケーブル
８      排水樋
８Ａ      樋本体
８Ｂ      蓋体
８Ｃ      底板部
８Ｄ      傾斜壁部
８Ｒ      接続部
３０      接続用部材
３０Ａ      接続用底板部
３０Ｂ      接続用傾斜壁部
４８      カバー
４８Ｃ      底板部
４８Ｄ      傾斜壁部
【図１】
0004617026.tif 000002
【図２】
0004617026.tif 000003
【図３】
0004617026.tif 000004
【図４】
0004617026.tif 000005
【図５】
0004617026.tif 000006
【図６】
0004617026.tif 000007
【図７】
0004617026.tif 000008
【図８】
0004617026.tif 000009
【図９】
0004617026.tif 000010
【図１０】
0004617026.tif 000011
【図１１】
0004617026.tif 000012
【図１２】
0004617026.tif 000013